(57)【要約】【課題】壁掛けタイプ、埋込タイプの薄型テレビジョンにおける端子構成が後面端子タイプであっても、ケーブル等の導線の接続／切離作業を容易に行うことができ、また、一人の作業者であっても内部の保守点検を容易に行うことができる薄型表示装置及び薄型表示装置の取付構造を提供する。【解決手段】前側に表示パネルを有する薄型表示装置本体Ａの一側部に、前後方向への回動を可能に壁体Ｂの凹所ｂに取付けられる取付具を設け、他側部に、前後方向への回動を規制すべき回動規制部を設け、取付具を支点として薄型表示装置本体Ａを前方へ回動させることにより、ケーブル等の導線の接続／切離作業を容易に行うことができ、内部の保守点検を容易に行うことができるようにした。【選択図】図６
2009103918.tif 000002
【特許請求の範囲】
【請求項１】
前側に表示パネルを有する薄型表示装置において、一側部に、前後方向への回動を可能に静止体に取付けられる取付部を備えることを特徴とする薄型表示装置。
【請求項２】
他側部に、前後方向への回動を規制すべき回動規制部を有する請求項１記載の薄型表示装置。
【請求項３】
前記取付部は、前記一側部の側面より外方へ離隔した位置に、その軸長方向が上下となる軸部又は筒部を有する請求項１又は２記載の薄型表示装置。
【請求項４】
前記表示パネル及び該表示パネルの周縁部を保持する保持体を有し、第２取付部により前後方向への回動を可能に前記静止体に取付けられるパネルモジュールと、該パネルモジュールの後側を被覆し、該パネルモジュールに取外しを可能に取付けられ、且つ前記取付部により静止体に取付けられるキャビネットとを備える請求項１から３のいずれか一つに記載の薄型表示装置。
【請求項５】
前記取付部及び第２取付部は上下に離隔して配されている請求項４記載の薄型表示装置。
【請求項６】
前側に表示パネルを有する薄型表示装置を静止体に取付ける取付構造において、薄型表示装置の一側部に取付けられる第１取付体と、前記静止体に取付けられる第２取付体と、第１取付体を第２取付体に前後方向への回動を可能に枢支する枢支部とを備えることを特徴とする薄型表示装置の取付構造。
【発明の詳細な説明】
【技術分野】
【０００１】
本発明は液晶テレビジョン、プラズマテレビジョン等の薄型表示装置及び薄型表示装置を壁体の凹所等の静止体に取付ける取付構造に関する。
【背景技術】
【０００２】
テレビジョン等の薄型表示装置は、下側にスタンドを有する床置きタイプと、後側に取付けられる壁掛け金具により壁体に取付けられる壁掛けタイプと、建築時にインテリア性を考慮し、建築物の一部として壁体の凹所に取付けられる埋込タイプとが知られている。いずれのタイプも、画像を表示する表示パネル及び該表示パネルの周縁部を保持する保持体を有するパネルモジュールと、該パネルモジュールの後側を被覆するキャビネットとを備える。
【０００３】
壁掛けタイプとして、前記キャビネットを壁体に取付け、該キャビネットにパネルモジュールを複数本の雄螺子により取外しを可能に取付たものが知られている（例えば、特許文献１参照）。また、埋込タイプとして、壁体の凹所内に横棒を固定し、該横棒に掛止される掛止爪を前記キャビネットの両側部に設け、掛止爪夫々を前記横棒に取外し可能に掛止するように構成されたものが知られている（例えば、特許文献２参照）。
【０００４】
また、薄型テレビジョンは外部機器との間でケーブル等の導線が接続／切離される複数の端子が設けられている。
【特許文献１】特開平１０−１４３０９２号公報
【特許文献２】特開平１０−２０７３８５号公報
【発明の開示】
【発明が解決しようとする課題】
【０００５】
しかし、外部機器との間でケーブル等の導線が接続／切離される複数の端子は、薄型テレビジョンの機種によって、前記導線を側方から横方向へ接続／切離することができるように配される側面端子タイプと、前記導線を前方から前後方向へ接続／切離することができるように配される前面端子タイプと、前記導線を後方から前後方向へ接続／切離することができるように配される後面端子タイプとがあるため、壁掛けタイプ、及び埋込タイプの薄型テレビジョンにおける端子構成が後面端子タイプである場合、ケーブル等の導線の接続／切離作業を行う際、壁体が邪魔になり、導線の接続／切離作業を容易に行うことができないし、また、薄型テレビジョンの後側を開放し、内部の保守点検を行う際、質量の重い薄型テレビジョンを壁体、又は壁体の凹所から取外す作業が行い難いし、また、一人の作業者では困難であり、改善策が要望されていた。
【０００６】
本発明は斯かる事情に鑑みてなされたものであり、主たる目的は一側部に、前後方向への回動を可能に静止体に取付けられる取付部を設けることにより、壁掛けタイプ、埋込タイプの薄型テレビジョンにおける端子構成が後面端子タイプであっても、ケーブル等の導線の接続／切離作業を容易に行うことができ、また、一人の作業者であっても内部の保守点検を容易に行うことができる薄型表示装置、及び薄型表示装置を壁体に簡易に取付けることができ、取付後においては薄型表示装置を壁体に対して回動させることができる取付構造を提供することにある。
【課題を解決するための手段】
【０００７】
本発明に係る薄型表示装置は、前側に表示パネルを有する薄型表示装置において、一側部に、前後方向への回動を可能に静止体に取付けられる取付部を備えることを特徴とする。
【０００８】
この発明にあっては、一側部の取付部を静止体に取付けることにより、該取付部を支点として回動させ、静止体に対して後面を前方へ離隔させることができるため、壁掛けタイプ、埋込タイプの薄型表示装置における端子構成が後面端子タイプであっても、ケーブル等の導線の接続／切離作業を容易に行うことができ、また、薄型表示装置を取外すことなく、後面と壁体との間のスペースを広くすることができ、一人の作業者であっても質量の重い薄型表示装置の保守点検を容易に行うことができる。
【０００９】
また、本発明に係る薄型表示装置は、他側部に、前後方向への回動を規制すべき回動規制部を有する構成とするのが好ましい。
この発明にあっては、薄型表示装置の壁体に対する回動を規制することができるため、振動などによる薄型表示装置の回動を防ぐことができるとともに、回動規制部での回動規制を解除することにより、薄型表示装置を簡易に回動させることができる。
【００１０】
また、本発明に係る薄型表示装置は、前記取付部は、前記一側部の側面より外方へ離隔した位置に、その軸長方向が上下となる軸部又は筒部を有する構成とするのが好ましい。
この発明にあっては、取付部を支点として前後方向へ水平状に回動させることができるため、薄型表示装置の内部の保守点検をより一層容易に行うことができる。
【００１１】
また、本発明に係る薄型表示装置は、前記表示パネル及び該表示パネルの周縁部を保持する保持体を有し、第２取付部により前後方向への回動を可能に前記静止体に取付けられるパネルモジュールと、該パネルモジュールの後側を被覆し、該パネルモジュールに取外しを可能に取付けられ、且つ前記取付部により静止体に取付けられるキャビネットとを備える構成とするのが好ましい。
この発明にあっては、取付部及び第２取付部によりキャビネットとパネルモジュールとを回動させることができ、また、キャビネットがパネルモジュールに取外しを可能に取付けられているため、キャビネット及びパネルモジュールの回動後、キャビネットをパネルモジュールと離隔する方向へ回動させることができ、薄型表示装置の内部の保守点検をより一層容易に行うことができる。
【００１２】
また、本発明に係る薄型表示装置は、前記取付部及び第２取付部は上下に離隔して配されている構成とするのが好ましい。
この発明にあっては、質量の重いパネルモジュールに設けてある第２取付部の剛性を、質量の軽いキャビネットに設けてある取付部に影響されることなく設定することができ、また、薄型表示装置の質量を取付部及び第２取付部に分散して加えることができ、重い質量が加わる第２取付部の剛性を高めることができる。
【００１３】
また、本発明に係る取付構造は、前側に表示パネルを有する薄型表示装置を静止体に取付ける取付構造において、薄型表示装置の一側部に取付けられる第１取付体と、前記静止体に取付けられる第２取付体と、第１取付体を第２取付体に前後方向への回動を可能に枢支する枢支部とを備えることを特徴とする。
この発明にあっては、薄型表示装置の一側部に第１取付体が取付けられている状態で第２取付体を静止体に取付けることにより、薄型表示装置を静止体に取付けることができるため、薄型表示装置を壁体に簡易に取付けることができ、薄型表示装置の取付作業性を高めることができ、また、取付後においては薄型表示装置を壁体に対して回動させることができる。
【発明の効果】
【００１４】
以上詳述したように本発明によれば、一側部の取付部を静止体に取付けることにより、該取付部を支点として回動させ、静止体に対して後面を前方へ離隔させることができるため、壁掛けタイプ、埋込タイプの薄型表示装置における端子構成が後面端子タイプであっても、ケーブル等の導線の接続／切離作業を容易に行うことができ、また、薄型表示装置を取外すことなく、後面と壁体との間のスペースを広くすることができ、一人の作業者であっても質量の重い薄型表示装置の内部の保守点検を容易に行うことができる。
【００１５】
また、本発明によれば、薄型表示装置の一側部に第１取付体が取付けられている状態で第２取付体を静止体に取付けることにより、薄型表示装置を静止体に取付けることができるため、薄型表示装置を壁体に簡易に取付けることができ、薄型表示装置の取付作業性を高めることができ、また、取付後においては薄型表示装置を壁体に対して回動させることができる。
【発明を実施するための最良の形態】
【００１６】
以下本発明をその実施の形態を示す図面に基づいて詳述する。
実施の形態１
図１は本発明に係る薄型表示装置の構成を示す縦断側面図、図２は薄型表示装置の構成を示す正面図、図３は薄型表示装置の構成を示す背面図、図４はパネルモジュールの枠体を取外した状態の正面図、図５はキャビネットの構成を示す側面図、図６は壁体の凹所に取付けられた状態を示す一部横断面図、図７は取付体の構成を示す拡大断面図、図８は壁体の凹所に取付けられた状態の他側部の構成を示す一部横断面図、図９は薄型表示装置の回動規制が解除された状態を示す説明図、図１０は壁体の凹所に取付けられた状態を示す説明図、図１１は薄型表示装置が回動された状態を示す説明図である。
【００１７】
図示した薄型表示装置は、前側に表示パネル１１を有し、該表示パネル１１の後側にバックライト部１２を配してあるパネルモジュール１と、該パネルモジュール１の後側を覆うキャビネット２とを備え、略直方体をなす薄型表示装置本体Ａの一側部に、前後方向への回動を可能に静止体としての壁体Ｂに取付けられる取付部としての取付具３が設けられている。
【００１８】
パネルモジュール１は、前側に表示面を有し略直方体をなす表示パネル１１と、表示パネル１１の周縁部に被嵌して該周縁部を保持する保持体１３と、該保持体１３の周縁部を取り囲む枠体１４と、バックライト部１２と、表示パネル１１及びバックライト部１２間に配された拡散板等の光学シート１５と、バックライト部１２の後面に取付けられている複数の回路基板１６とを有する。枠体１４はバックライト部１２の周縁部に複数本の雄螺子により取外しを可能に取付けられている。
【００１９】
バックライト部１２は、光学シート１５の後側に上下に並置され、該光学シート１５側へ光を照射する複数本のランプ１２ａと、該ランプ１２ａを収容支持し、箱形をなすシャーシ１２ｂとを備え、保持体１３及び光学シート１５の周縁部がシャーシ１２ｂに支持されている。ランプ１２ａは両端部に電極を有する冷陰極管であり、夫々のランプ１２ａの両端部の電極にインバータ回路基板が接続され、パルス幅変調信号により明るさが制御されるように構成されている。
【００２０】
シャーシ１２ｂは略直方体をなし、金属板を成形してなる枠部と、該枠部の後側端を閉塞し、金属板を成形してなる蓋板部とを有し、該蓋板部の後面に回路基板１６が取付けられている。また、シャーシ１２ｂの周縁部には周方向へ離隔して複数の取付用孔が開設されている。
【００２１】
回路基板１６は、外部機器との間で入出力される入出力信号用の複数の端子、表示パネル１１に表示する映像を処理させる処理回路、該処理回路に電圧を供給する電源回路等を有する。端子は、Ｄ端子と、三系統のＲＣＡピン−ビデオ入力端子と、Ｓ端子と、アナログチューナ端子と、デジタルチューナ端子と、ＤＶＩ端子と、ＨＤＭＩ端子と、ｉ−ＬＩＮＫ端子とを有し、回路基板１６の背面に並置されている。尚、Ｄ端子はデジタルチューナとテレビジョンとを結ぶデジタル放送映像用であり、ＲＣＡピン−ビデオ入力端子は外部機器のビデオ出力信号を取り込むものであり、Ｓ端子は輝度信号と色信号とを分離して電送することにより相互の干渉による映像劣化を抑えたＳビデオ信号を入出力するものであり、アナログチューナ端子はアナログ放送の映像を受信するものであり、デジタルチューナ端子はデジタル放送の映像を受信するものであり、ＤＶＩ端子はパーソナルコンピュータ等の外部機器を接続するためのものであり、ＨＤＭＩ端子はデジタル映像及び音声を取り込むためのものであり、ｉ−ＬＩＮＫ端子は、デジタル放送を取り込むためのものである。
【００２２】
キャビネット２は、パネルモジュール１の周縁部を被覆し、略直方体をなす枠部２１と、深皿形をなし、パネルモジュール１の後側を被覆する蓋板部２２と、枠部及び蓋板部の周縁に連なる環板部２３とを有し、合成樹脂により一体に成形されている。
【００２３】
環板部２３の内側には補強板が結合され、該環板部２３及び補強板に複数の取付用孔２４が開設されており、また、キャビネット２の両側部には、凹所２５，２５と、環板部２３及び補強板を貫通する二つの貫通孔２６，２６とが設けられている。貫通孔２６，２６は上下に離隔して開設され、一側部及び他側部の貫通孔２６，２６に、貫通孔２６，２６に対応する螺子孔を両端部に有し、側面視略コ字形をなす取っ手４，４ａが取付けられている。また、蓋板部２２の回路基板１６と対向する箇所には、前記端子に対応する大きさに開設されている複数の挿通孔２７と、壁掛け金具取付用の雄螺子が挿通される４つの挿通孔２８とが開設されている（図３、図５参照）。
【００２４】
取っ手４，４ａは、キャビネット２の一側部及び他側部と後方へ離隔して対向し、その軸長方向が上下となる軸部４１，４１ａの上下両端部が前方へ屈曲され、両端部に螺子孔が開設されており、一方の取っ手４の軸部４１に取付具３が取外しを可能に取付けられている（図３、図５、図６参照）。また、他方の取っ手４ａの軸部４１ａは、後記する係止体５と係合し、薄型表示装置本体Ａの前後方向への回動を規制すべき回動規制部６を兼ねている（図８参照）。尚、取っ手４は取付部の一部を構成している。
【００２５】
取付具３は取っ手４とともに取付部を構成するもので、一方の取っ手４の軸部４１に取付けられる第１取付体３１と、壁体Ｂにおける凹所ｂの一側部に取付けられる第２取付体３２と、第１取付体３１を第２取付体３２に前後方向への回動を可能に枢支してある枢支部としての軸部３３とを有する。第１取付体３１及び第２取付体３２は板体を成形してなり、第１取付体３１及び第２取付体３２の一端部夫々に複数の貫通孔３１ａ，３２ａが開設され、他端部夫々に、上下位置で対向する筒部３１ｂ，３２ｂが巻回され、筒部３１ｂ，３２ｂ夫々に軸部３３が嵌入保持されている。第１取付体３１の一端部は取っ手４の軸部４１を挾着する挾着板３４及び貫通孔３１ａに捩込まれる雄螺子３５により軸部４１に挾着固定されている（図６、図７参照）。
【００２６】
以上のように構成された薄型表示装置は、パネルモジュール１にキャビネット２が結合されている薄型表示装置本体Ａの両側部に取っ手４，４ａが設けられているため、二人の作業者が両側部の取っ手４，４ａと、薄型表示装置本体Ａの下側角部とを把持して容易に持ち上げることができる。
【００２７】
壁体Ｂの凹所ｂに薄型表示装置が取付けられる場合、両側部の取っ手４，４ａの一方に取付具３の第１取付体３１が挾着固定される。また、壁体Ｂの凹所ｂの一側部には、第２取付体３２の貫通孔３２ａに対応する複数の螺子孔７が開設されており、壁体Ｂの凹所ｂの他側部には、回動規制部６と係合することにより薄型表示装置本体Ａの前後方向への回動を規制する係止体５が横方向への摺動を可能に取付けられている。尚、凹所ｂの一側部には、螺子孔７を有する金属板などの補強部材が固定されてもよい。
【００２８】
係止体５は横方向に配される摺動杆部５１と、該摺動杆部５１の一端から前方へ屈曲する操作杆部５２とを有する略Ｌ字形をなしている（図８参照）。壁体Ｂの凹所ｂの他側部には側面と離隔した位置で窪む凹部Ｃ、及び該凹部Ｃから凹所ｂへ貫通する案内孔Ｄが開設され、案内孔Ｄに摺動杆部５１が挿嵌され、操作杆部５２の先端が凹部Ｃから外部へ突出しており、操作杆部５２の先端を摘んで横方向へ操作することにより係止体５を摺動させ、係止体５の回動規制部６と係合／離脱させるようになしてある（図８参照）。
【００２９】
薄型表示装置本体Ａが図１０に示すように壁体Ｂの凹所ｂに取付けられる際、取付具３は第１取付体３１の筒部３１ｂに第２取付体３２の筒部３２ｂが軸部３３により枢支されているため、第２取付体３２の貫通孔３２ａに雄螺子３６を挿入し、壁体Ｂにおける凹所ｂの螺子孔７に捩込むことにより薄型表示装置本体Ａを壁体Ｂの凹所ｂに取付けることができる（図６参照）。
【００３０】
この取付け状態で、軸部３３を支点として薄型表示装置本体Ａを前方へ回動することにより、壁体Ｂに対して薄型表示装置本体Ａの後面を前方へ離隔させることができる（図１１参照）。従って、薄型表示装置本体Ａの後側に端子が設けられている後面端子タイプにおいて、ケーブル等の導線の接続／切離作業を行う際、薄型表示装置本体Ａの後面と壁体Ｂとの間のスペースを広くして接続／切離作業を行うことができ、接続／切離作業を容易に行うことができる。
【００３１】
ケーブル等の導線の接続／切離作業を行った後、薄型表示装置本体Ａを後方へ回動させ、係止体５を横方向へ摺動させることにより、該係止体５が回動規制部６に係合し、薄型表示装置本体Ａの回動を規制することができる（図８参照）。
【００３２】
また、薄型表示装置本体Ａの内部の保守点検作業を行う際、係止体５を横方向へ摺動させ、該係止体５による薄型表示装置本体Ａの回動規制を解除した後（図９参照）、薄型表示装置本体Ａを前方へ回動させることにより（図１１参照）、薄型表示装置本体Ａの後面と壁体Ｂとの間のスペースを広くして雄螺子によるキャビネット２の結合を解除でき、キャビネット２を容易に取外すことができるため、回路基板１６等の内部の保守点検作業を一人の作業者で容易に行うことができる。
【００３３】
実施の形態２
図１２は薄型表示装置の他の構成を示す背面図、図１３は薄型表示装置の他の構成を示す模式的横断平面図、図１４は第２取付体の構成を示す拡大断面図である。この薄型表示装置は、薄型表示装置本体Ａを構成するパネルモジュール１と、キャビネット２とを個別に回動を可能に取付けるための取付具３及び第２取付具８を備え、パネルモジュール１に雄螺子により取付けられているキャビネット２を取外すことにより、該キャビネット２をパネルモジュール１と離隔する方向へ回動させることができるように構成したものである。尚、第２取付具８が第２取付部を構成している。
【００３４】
パネルモジュール１は、シャーシ１２ｂの一側部及び他側部の下側に、側面視略コ字形をなす取っ手９，９ａが設けられており、一側部の取っ手９の軸部９１に第２取付具８が取付けられる。キャビネット２は、一側部及び他側部の上側に側面視略コ字形をなす取っ手４，４ａが設けられており、一側部の取っ手４の軸部４１に取付具３の第１取付体３１が取付けられており、他側部の取っ手４ａが回動規制部６を兼ねている。また、キャビネット２の一側部及び他側部の下側で、取っ手９，９ａと対応する箇所には凹所を設け、キャビネット２がパネルモジュール１に対して回動する際、取っ手９，９ａが邪魔にならないように構成されている。尚、取っ手９は取付部の一部を構成しており、その軸長方向が上下となる軸部９１を有する。
【００３５】
第２取付具８は取っ手９とともに取付部を構成するもので、取付具３と等しい構成であり、一方の取っ手９の軸部９１に取付けられる第１取付体８１と、壁体Ｂにおける凹所ｂの一側に取付けられる第２取付体８２と、第１取付体８１を第２取付体８２に前後方向への回動を可能に枢支してある枢支部としての軸部８３とを有する。第１取付体８１及び第２取付体８２は板体を成形してなり、第１取付体８１及び第２取付体８２の一端部夫々に複数の貫通孔８１ａ，８２ａが開設され、他端部夫々に、上下位置で対向する筒部８１ｂ，８２ｂが巻回され、筒部８１ｂ，８２ｂ夫々に軸部８３が嵌入保持されている。第１取付体８１の一端部は取っ手９の軸部９１を挾着する挾着板８４及び貫通孔８１ａに捩込まれる雄螺子８５により軸部９１に挾着固定されている。
【００３６】
以上のように構成された薄型表示装置は、螺子孔７及び係止体５が設けられている壁体Ｂにおける凹所ｂの一側部に取付けられる。この取付けは、パネルモジュール１に第１取付体８１が取付けられている第２取付具８の第２取付体８２と、キャビネット２に第１取付体３１が取付けられている取付具３の第２取付体３２とが雄螺子３６，８６により凹所ｂの一側部に取付けられる（図６と同様）。この際、取付具３は第１取付体３１の筒部３１ｂに第２取付体３２の筒部３２ｂが軸部３３により枢支されており、第２取付具８は第１取付体８１の筒部８１ｂに第２取付体８２の筒部８２ｂが軸部８３により枢支されているため、軸部３３，８３夫々を支点として薄型表示装置本体Ａを前方へ回動することにより、壁体Ｂに対して薄型表示装置本体Ａの後面を前方へ離隔させることができる（図１１と同様）。従って、薄型表示装置本体Ａの後側に端子が設けられている後面端子タイプにおいて、ケーブル等の導線の接続／切離作業を行う際、薄型表示装置本体Ａの後面と壁体Ｂとの間のスペースを広くして接続／切離作業を行うことができ、接続／切離作業を容易に行うことができる。
【００３７】
ケーブル等の導線の接続／切離作業を行った後、薄型表示装置本体Ａを後方へ回動させ、係止体５を横方向へ摺動させることにより、該係止体５がキャビネット２の回動規制部６に係合し、薄型表示装置本体Ａの回動を規制することができる（図８と同様）。
【００３８】
また、薄型表示装置本体Ａの内部の保守点検作業を行う際、係止体５を横方向へ摺動させ、該係止体５による薄型表示装置本体Ａの回動規制を解除した後、薄型表示装置本体Ａを前方へ回動させることにより、薄型表示装置本体Ａの後面と壁体Ｂとの間のスペースを広くして雄螺子によるキャビネット２の結合を解除でき、この後、キャビネット２を後方へ回動させることにより（図１３参照）、パネルモジュール１とキャビネット２との間のスペースを広くして回路基板１６等の内部の保守点検作業を一人の作業者で容易に行うことができる。
その他の構成及び作用は実施の形態１と同様であるため、同様の部品については同じ符号を付し、その詳細な説明及び作用効果の説明を省略する。
【００３９】
尚、以上説明した実施の形態では薄型表示装置本体Ａを持ち上げ易いように設けられている取っ手４，４ａ（取っ手９，９ａ）に取付具３（第２取付具８）を取付けたが、その他、取付具３（第２取付具８）は薄型表示装置本体Ａに直接取付ける構成としてもよい。この場合、例えば取付具３の第１取付体３１をキャビネット２に取付け、第２取付具８の第１取付体８１をシャーシ１２ｂに取付ける。
【００４０】
また、取付具３（第２取付具８）は第１取付体３１（８１）、第２取付体３２（８２）及び軸部３３（８３）を有する構成としたが、その他、取付具３（第２取付具８）は例えば貫通孔３２ａ（８２ａ）及び筒部３２ｂ（８２ｂ）を有する第２取付体３２（８２）を備え、第２取付体３２（８２）の筒部３２ｂ（８２ｂ）が取っ手４（９）の軸部４１（９１）に回転を可能に取付けられる構成としてもよく、また、取っ手４（９）とは別個に設けられる軸部又は筒部に、取付具３（第２取付具８）の筒部３２ｂ（８２ｂ）又は軸部が回転を可能に嵌合される構成としてもよく、取付具３（第２取付具８）の構成は特に制限されない。尚、取っ手４（９）の軸部４１（９１）に第２取付体３２（８２）の筒部３２ｂ（８２ｂ）が嵌合される場合、取っ手４（９）は前面視コ字形をなすように薄型表示装置本体Ａの一側部に突設され、該取っ手４（９）の上下方向の位置に配されている軸部４１（９１）に第２取付体３２（８２）の筒部３２ｂ（８２ｂ）が嵌合される。
【００４１】
また、取付具３（第２取付具８）の一部又は全体は薄型表示装置本体Ａに予め取付けられている他、薄型表示装置本体Ａが壁体Ｂの凹所ｂに取付けられる際、換言すると凹所ｂに取付けられるまでは非取付状態であり、凹所ｂへの取付段階で薄型表示装置本体Ａに取付具３（第２取付具８）が取付けられる構成としてもよい。
【００４２】
また、本発明に係る薄型表示装置は取付部としての取付具３、第２取付部としての第２取付具８を備え、壁体Ｂの凹所ｂに取付けられる埋込タイプ、または、凹所ｂを有しない平面の壁体Ｂに取付けられる壁掛けタイプである他、薄型表示装置本体Ａの下側にスタンドを取付けることにより床置きタイプにすることができ、また、キャビネット２の後側に壁掛け金具を取付けることにより壁掛けタイプにすることができる。いずれの場合も取付具３（第２取付具８）を取外した構成である。
【００４３】
また、本発明に係る薄型表示装置は液晶テレビジョン等の薄型液晶表示装置である他、薄型プラズマ表示装置、ＥＬディスプレイ等の薄型表示装置であってもよい。
【図面の簡単な説明】
【００４４】
【図１】本発明に係る薄型表示装置の構成を示す縦断側面図である。
【図２】本発明に係る薄型表示装置の構成を示す正面図である。
【図３】本発明に係る薄型表示装置の構成を示す背面図である。
【図４】本発明に係る薄型表示装置のパネルモジュールの枠体を取外した状態の正面図である。
【図５】本発明に係る薄型表示装置のキャビネットの構成を示す側面図である。
【図６】本発明に係る薄型表示装置が壁体の凹所に取付けられた状態を示す一部横断面図である。
【図７】本発明に係る薄型表示装置の取付体の構成を示す拡大断面図である。
【図８】本発明に係る薄型表示装置が壁体の凹所に取付けられた状態の他側部の構成を示す一部横断面図である。
【図９】本発明に係る薄型表示装置の回動規制が解除された状態を示す説明図である。
【図１０】本発明に係る薄型表示装置が壁体の凹所に取付けられた状態を示す説明図である。
【図１１】本発明に係る薄型表示装置が回動された状態を示す説明図である。
【図１２】本発明に係る薄型表示装置の他の構成を示す背面図である。
【図１３】本発明に係る薄型表示装置の他の構成を示す模式的横断平面図である。
【図１４】本発明に係る薄型表示装置の第２取付体の構成を示す拡大断面図である。
【符号の説明】
【００４５】
１    パネルモジュール
１１  表示パネル
１３  保持体
２    キャビネット
３    取付具（取付部）
３１  第１取付体
３２  第２取付体
３３  軸部（枢支部）
６    回動規制部
８    第２取付具（第２取付部）
Ｂ    壁体（静止体） 
【図１】
2009103918.tif 000003
【図２】
2009103918.tif 000004
【図３】
2009103918.tif 000005
【図４】
2009103918.tif 000006
【図５】
2009103918.tif 000007
【図６】
2009103918.tif 000008
【図７】
2009103918.tif 000009
【図８】
2009103918.tif 000010
【図９】
2009103918.tif 000011
【図１０】
2009103918.tif 000012
【図１１】
2009103918.tif 000013
【図１２】
2009103918.tif 000014
【図１３】
2009103918.tif 000015
【図１４】
2009103918.tif 000016